(57)【要約】【課題】  いかなるドライブに挿入されてもデータ消去に必要な最適のパワーレベルを容易に見つけることのできる光記録媒体の消去パターン情報記録方法およびデータ消去方法を提供する。【解決手段】  データ記録、及び／又は、データ再生が可能な光記録媒体に消去パターン情報を記録する消去パターン情報記録方法であって、光記録媒体に消去パターン情報を記録する手順と、光記録媒体からデータを消去するための消去パターンのため、消去パルスのうちの先頭パルスのパワーレベル、及び、前記消去パルスの最後パルスと記録パルスの先頭パルスとの間のパワーレベルを特定する手順と、を有する。【選択図】      図２
2006244708.tif 000002
【特許請求の範囲】
【請求項１】
データの記録、及び／またはデータ再生が可能な光記録媒体に消去パターン情報を記録する消去パターン情報記録方法であって、
前記光記録媒体に消去パターン情報を記録する手順と、
前記光記録媒体からデータを消去するための消去パターンのため、前記消去パルスのうちの先頭パルスのパワーレベル、及び、前記消去パルスの最後パルスと記録パルスの先頭パルスとの間のパワーレベルを特定する手順と、を有することを特徴とする消去パターン情報記録方法。
【請求項２】
前記消去パターン情報の記録は、前記光記録媒体の記録層の再生専用領域に行うことを特徴とする請求項1に記載の消去パターン情報記録方法。
【請求項３】
前記消去パターン情報の記録は、前記光記録媒体の記録層の記録可能領域に行うことを特徴とする請求項1に記載の消去パターン情報記録方法。
【請求項４】
データ記録、及び／または再生が可能な、複数の記録層を有する光記録媒体に消去パターン情報を記録する方法であって、
前記複数の記録層のデータを消去するための消去パターン情報を記録する手順を有し、
前記消去パターン情報は、消去パルスのうちの先頭パルスのパワーレベルと、前記消去パルスの最後パルスと記録パルスの先頭パルスとの間のパワーレベルとを有することを特徴とする消去パターン情報記録方法。
【請求項５】
前記消去パターン情報の記録は、前記複数の記録層から選択された１層に、複数の記録層の各々の消去パターン情報を記録することを特徴とする請求項４に記載の消去パターン情報記録方法。
【請求項６】
前記消去パターン情報の記録は、前記選択された記録層の再生専用領域に記録することを特徴とする請求項５に記載の消去パターン情報記録方法。
【請求項７】
前記消去パターン情報の記録は、前記選択された記録層の記録可能領域に記録することを特徴とする請求項５に記載の消去パターン情報記録方法。
【請求項８】
前記消去パターン情報の記録は、前記複数の記録層の各々に、それぞれ対応する記録層の消去パターン情報を記録することを特徴とする請求項４に記載の消去パターン情報記録方法。
【請求項９】
前記消去パターン情報の記録は、前記複数の記録層の各々の再生専用領域に、それぞれ対応する記録層の消去パターン情報を記録することを特徴とする請求項８に記載の消去パターン情報記録方法。
【請求項１０】
前記消去パターン情報の記録は、前記複数の記録層の各々の記録可能領域に、それぞれ対応する記録層の消去パターン情報を記録することを特徴とする請求項８に記載の消去パターン情報記録方法。
【請求項１１】
データ記録、及び／またはデータ再生が可能な光記録媒体からデータを消去するデータ消去方法であって、
前記光記録媒体に記録された消去パターン情報に基づいて前記光記録媒体からデータを消去する手順を有し、
前記消去パターン情報は、消去パルスのうちの先頭パルスのパワーレベルと、前記消去パルスの最後パルスと書き込みパルスの先頭パルスとの間のパワーレベルとを特定することを特徴とするデータ消去方法。
【請求項１２】
前記消去パターン情報は、前記光記録媒体の記録層の再生専用領域に記録されてなることを特徴とする請求項１１に記載のデータ消去方法。
【請求項１３】
前記消去パターン情報は、前記光記録媒体の記録層の記録可能領域に記録されてなることを特徴とする請求項１１に記載のデータ消去方法。
【請求項１４】
データ記録、及び／またはデータ再生が可能な、複数の記録層を有する光記録媒体からデータを消去するデータ消去方法であって、
前記光記録媒体に記録された消去パターン情報に基づいて選択された消去パワーを用いて前記光記録媒体からデータを消去する手順を有し、
前記消去パターン情報は、前記記録層中のデータ消去のため、前記消去パルスのうちの先頭パルスのパワーレベルと、消去パルスの最後パルスと書き込みパルスの先頭パルスとの間のパワーレベルを含むことを特徴とするデータ消去方法。
【請求項１５】
前記複数の記録層の各々の消去パターン情報は、前記複数の記録層から選択された1層に記録されることを特徴とする、請求項１４に記載のデータ消去方法。
【請求項１６】
前記消去パターン情報は、前記選択された記録層の再生専用領域に記録されてなることを特徴とする、請求項１５に記載のデータ消去方法。
【請求項１７】
前記消去パターン情報は、前記選択された記録層の記録可能領域に記録されてなることを特徴とする、請求項１５に記載のデータ消去方法。
【請求項１８】
前記複数の記録層の各々の消去パターン情報は、それぞれ対応する記録層に記録されてなることを特徴とする請求項１４に記載のデータ消去方法。
【請求項１９】
前記複数の記録層の各々の消去パターン情報は、それぞれ対応する記録層の再生専用領域に記録されることを特徴とする請求項１８に記載のデータ消去方法。
【請求項２０】
前記複数の記録層の各々の消去パターン情報は、それぞれ対応する記録層の記録可能領域に記録されることを特徴とする請求項１８に記載のデータ消去方法。
【発明の詳細な説明】
【技術分野】
【０００１】
本発明は光記録媒体の消去パターン情報記録方法およびデータ消去方法に関する。
【背景技術】
【０００２】
光記録媒体の一つである光ディスクにデータを記録するということは、光ディスクに形成されたトラックにマークを形成することを意味する。現在、記録、消去及び再生が可能な光ディスクとしては、６５０ＭＢ級のＲＷ、４．７ＧＢ級のＤＶＤ−ＲＡＭ／Ｒ／ＲＷ、４．７ＧＢ級のＤＶＤ＋ＲＷなどがあり、今後販売予定である２３ＧＢ級以上の容量をもつＨＤ−ＤＶＤ向けがある。記録可能なディスクの場合、記録層には温度によって結晶質または非晶質に変わる相変化膜が塗布されており、マークは相変化膜の相変化を通じて形成される。このように記録可能な媒体の場合、記録／再生特性を最適化させるために記録方策という技術を導入しており、前記各記録媒体によってその記録方策を相異ならせて適用する。さらに、ドライブによって記録条件が変わる結果、光記録媒体とドライブとの間の互換性がない可能性があるといった問題点がある。
【発明の開示】
【発明が解決しようとする課題】
【０００３】
前記問題点を解決するために、本発明の目的は、消去パターンの先頭及び最後パルスのパワーレベルに関する情報が記録されていることから、いかなるドライブに挿入されてもデータ消去に必要な最適のパワーレベルを容易に見つけることのできる光記録媒体の消去パターン情報記録方法およびデータ消去方法を提供するところにある。
【課題を解決するための手段】
【０００４】
本発明の一観点によれば、データ記録、及び／またはデータ再生が可能な光記録媒体に消去パターン情報を記録する消去パターン情報記録方法であって、前記光記録媒体に消去パターン情報を記録する手順と、前記光記録媒体からデータを消去するための消去パターンのため、前記消去パルスのうちの先頭パルスのパワーレベル、及び、前記消去パルスの最後パルスと記録パルスの先頭パルスとの間のパワーレベルを特定する手順と、を有することを特徴とする消去パターン情報記録方法が提供される。
【０００５】
本発明の他の観点によれば、データ記録、及び／またはデータ再生が可能な、複数の記録層を有する光記録媒体に消去パターン情報を記録する方法であって、前記複数の記録層のデータを消去するための消去パターン情報を記録する手順を有し、前記消去パターン情報は、消去パルスのうちの先頭パルスのパワーレベルと、前記消去パルスの最後パルスと記録パルスの先頭パルスとの間のパワーレベルとを有することを特徴とする消去パターン情報記録方法が提供される。
【０００６】
本発明のその他の観点によれば、データ記録、及び／またはデータ再生が可能な光記録媒体からデータを消去するデータ消去方法であって、前記光記録媒体に記録された消去パターン情報に基づいて前記光記録媒体からデータを消去する手順を有し、前記消去パターン情報は、消去パルスのうちの先頭パルスのパワーレベルと、前記消去パルスの最後パルスと書き込みパルスの先頭パルスとの間のパワーレベルとを特定することを特徴とするデータ消去方法が提供される。
【０００７】
本発明のその他の観点によれば、及び／またはデータ再生が可能な、複数の記録層を有する光記録媒体からデータを消去するデータ消去方法であって、前記光記録媒体に記録された消去パターン情報に基づいて選択された消去パワーを用いて前記光記録媒体からデータを消去する手順を有し、前記消去パターン情報は、前記記録層中のデータ消去のため、前記消去パルスのうちの先頭パルスのパワーレベルと、消去パルスの最後パルスと書き込みパルスの先頭パルスとの間のパワーレベルを含むことを特徴とするデータ消去方法が提供される。
【発明の効果】
【０００８】
本発明によれば、消去パターンの先頭及び最後パルスのパワーレベルに関する情報が記録されていることから、いかなるドライブに挿入されてもデータ消去に必要な最適のパワーレベルを容易に見つけることのできる光記録媒体の消去パターン情報記録方法およびデータ消去方法を提供できる。さらに、記録装置が挿入された光記録媒体についての最適の消去パワーを選択するのにかかる時間を大幅に短縮させることができる。
【発明を実施するための最良の形態】
【０００９】
以下、添付した図面を参照して本発明の好適な実施形態を詳細に説明する。
【００１０】
図１は、光記録媒体の各領域を示す図であって、光記録媒体はバーストカット領域（以下、ＢＣＡという）、プレレコード領域及び記録／再生領域を含んでなる。ＢＣＡは、ディスク番号などのディスク固有情報が半径方向にバーコードの形で記録されている。プレレコード領域は、再生専用のデータが高周波ウォッブルまたはピットにより形成された領域である。プレレコード領域に記録されたデータには、ディスクのタイプ、ディスクのサイズ、チャンネルビット長、ディスクの構造、記録及び消去パターンの時間、記録パワーなどが記録されている。本発明に係る光記録媒体においては、再生専用のプレレコード領域またはデータの記録及び再生のための記録／再生領域にデータ消去のための消去パターンの先頭パルス及び最後パルスのパワーレベルに関する消去パターン情報を記録する。以下、説明の便宜のために、前記消去パターン情報はプレレコード領域に貯蔵されるとして説明する。
【００１１】
一方、光ディスクに記録されたデータを消去するための消去パターンの先頭パルス及び最後パルスのパワーレベルの組み合わせは、ディスク記録層のタイプまたはディスクのタイプによって、図２に示されたように、４タイプに分類することができる。
【００１２】
図２を参照するに、消去パターンは（ａ）ＬＨ、（ｂ）ＨＨ、（ｃ）ＨＬ及び（ｄ）ＬＬの４タイプに分類される。各消去パターンの違いが容易に区別可能に○にて示されている。まず、（ａ）ＬＨは、消去パターンを構成する先頭パルスのパワーが次の消去マルチパルスの“ロー”レベル（図３のＰＢＥ）と同じであり、消去パターンを構成する最後の消去マルチパルスが“ロー”レベル（図３のＰＢＥ）で終了した後、次の消去パターンの最後パルスＴｓｆｐのパワーレベルが消去マルチパルスの“ハイ”レベル（図３のＰＰＥ）と同じである時を言う。（ｂ）ＨＨは、消去パターンを構成する先頭パルスのパワーが次の消去マルチパルスの“ハイ”レベル（図３のＰＰＥ）と同じであり、消去パターンを構成する最後の消去マルチパルスが“ハイ”レベル（図３のＰＰＥ）で終了した後、次の消去パターンの最後パルスＴｓｆｐのレベルが消去マルチパルスの“ハイ”レベル（図３のＰＰＥ）に保持される時を言う。（ｃ）ＨＬは、消去パターンを構成する先頭パルスのパワーが次の消去マルチパルスの“ハイ”レベル（図３のＰＰＥ）と同じであり、消去パターンを構成する最後の消去マルチパルスが“ハイ”レベル（図３のＰＰＥ）で終了した後、次の消去パターンの最後パルスＴｓｆｐのレベルが消去マルチパルスの“ロー”レベル（図３のＰＢＥ）と同じである時を言う。最後に、（ｄ）ＬＬは、消去パターンを構成する先頭パルスのパワーが次の消去マルチパルスの“ロー”レベル（図３のＰＢＥ）と同じであり、消去パターンを構成する最後の消去マルチパルスが“ロー”レベル（図３のＰＢＥ）で終了した後、次の消去パターンの最後パルスＴｓｆｐのレベルが消去マルチパルスの“ロー”レベル（図３のＰＢＥ）に保持される時を言う。
【００１３】
このように、ディスク記録層のタイプ、ディスクのタイプまたは多層記録層である場合に各層別に異ならせて設定できる消去パターンの先頭パルス及び最後パルスが再生専用領域に記録された光記録媒体が記録装置に挿入されれば、記録装置は最適の消去パワーを選択するための別途のテストをする必要がないため、消去パワーレベルを定めるのにかかる時間を大幅に短縮させることができる。
【００１４】
図３は、図１に示された光記録媒体のデータゾーンにデータを記録するための記録波形の一例を示す図である。図３には、記録及び消去パターンの時間、記録パワーなどを表わす具体的な名称が共に示されている。
【００１５】
図４は、図１に示されたプレレコード領域に実質的に記録されるデータの一例を示す図である。プレレコード領域には、図３に示された波形の記録パターンについての時間、消去パターンについての時間が記録でき、これらに加えて、記録パワー、ディスクのタイプ、ディスクのサイズなどを記録することができる。また、プレレコード領域には記録に割り当てられていないバイトがあり、これらのうち一つのバイトに消去パターンの先頭パルスのパワーレベル及び最後パルスのパワーレベルに関する情報を記録することができる。図４には、バイト・ナンバー（以下、ＢＮという）Ｎを消去パターンの先頭パルスのパワーレベル及び最後パルスのパワーレベルについての情報記録に割り当てた。具体的に、ＢＮ  Ｎの上位４ビットに消去パターンの先頭パルスのパワーレベルを定義し、下位４ビットに最後パルスのパワーレベルを定義できる。そして、消去マルチパルスの“ロー”レベル（図３のＰＢＥ）は０００１と定義し、且つ、消去マルチパルスの“ハイ”レベル（図３のＰＰＥ）は００００と定義すれば、図３に示された消去パターンの場合、ＢＮ  Ｎには‘０００１００００’が記録される。記録装置は挿入された光ディスクのＢＮ  Ｎに記録された‘０００１００００’を読み込むことにより、消去パターンの先頭パルスのパワーレベルがＰＢＥであり、最後パルスのパワーレベルがＰＰＥであることを別途のテスト過程なしに分かる。一方、図４中、Ｍはディスク情報を表わす領域の最後のバイトである。
【００１６】
図５は、記録媒体がデュアルレイヤの光記録媒体である場合、図１に示されたプレレコード領域に実質的に記録されるデータの一例を示す図である。ＢＮ  Ｎには第１記録層Ｌ０についての消去パターンの先頭パルスのパワーレベル及び最後パルスのパワーレベルについての消去パターンの情報記録が割り当てられている。そして、ＢＮ  Ｎ＋１には第２記録層Ｌ１についての消去パターンの先頭パルスのパワーレベル及び最後パルスのパワーレベルについての消去パターンの情報記録が割り当てられている。同様に、ＢＮ  Ｎ及びＮ＋１の上位４ビットに消去パターンの先頭パルスのパワーレベルを定義し、下位４ビットに最後パルスのパワーレベルを定義できる。
【００１７】
一方、図５には、一つの記録層に２記録層の消去パターン情報を全て記録することを示したが、記録層のそれぞれに該当記録層についての消去パターン情報を分けて記録しても良い。
【図面の簡単な説明】
【００１８】
【図１】光記録媒体の各領域を示す図である。
【図２】４タイプの消去パターンを示す波形図である。
【図３】図１に示された光記録媒体のデータゾーンにデータを記録するための記録波形の一例を示す図である。
【図４】図１に示されたプレレコード領域に実質的に記録されるデータの一例を示す図である。
【図５】記録媒体がデュアルレイヤ光記録媒体である場合、図１に示されたプレレコード領域に実質的に記録されるデータの一例を示す図である。
【図１】
2006244708.tif 000003
【図２】
2006244708.tif 000004
【図３】
2006244708.tif 000005
【図４】
2006244708.tif 000006
【図５】
2006244708.tif 000007